Podtech/llm-jp-corpus-v4-ja_patent huggingface dataset:
(57)【要約】【課題】猫用遊具の設ける数（種類）が限定されないと共に、遊戯具全体が堅牢で安定している、即ち、ペット（猫）を取り巻く環境がより興味深くまた快適となるようにできる猫用遊戯具をの提供。【解決手段】猫用遊戯具１は、その本体部５を、主に支柱２とジョイント３とによって、略ジャングルジム状に組立てることにする。また、この猫用遊戯具１の本体部５に、その支柱２を利用してハンモック、トンネル、爪とぎ、タイヤ、サンドバック等の猫用遊具１１の取付けを可能とする。【選択図】図１
0003127433.tif 000002
【実用新案登録請求の範囲】
【請求項１】
両端に着脱自在な接続部を有する支柱が立方体の各辺位置となるようにして、前記各支柱の接続部をジョイントを介し接続して立方体状に組立てなる基本ユニットを、前記ジョイントを介して多数連結し任意の立体形状とした本体部に、ハンモック、ブランコ、トンネル、爪とぎ、タイヤ型遊具、サンドバッグ等の猫用遊具を取付けられるように構成したことを特徴とする猫用遊戯具。
【請求項２】
前記本体部の下部には、前記支柱に梯子を取付けていることを特徴とする請求項１記載の猫用遊戯具。
【請求項３】
前記支柱の外周面には、サイザイル麻、ブラシ天、カーペット等の仕上げ生地材が取付けられていることを特徴とする請求項１記載の猫用遊戯具。
【請求項４】
前記ジョイントとして、前記支柱の接続部が嵌合する嵌合用孔が３個、４個、５個、６個のタイプを選択的に使用可能としたことを特徴とする請求項１記載の猫用遊戯具。
【考案の詳細な説明】
【技術分野】
【０００１】
この考案は、ペットとして飼われている猫用の遊戯具に関するものである。
【背景技術】
【０００２】
今日、生活水準の向上からペット（猫）の人気が年々高まっており、それに伴って、猫用遊戯具の需要も年々高まっている。
【０００３】
この猫用遊戯具としては、例えば、特開２００４−１７３５１４号公報のように、鉛直方向へ延びる一本の支柱を中心とし、その支柱の周辺に猫用遊具を設けたものが知られている。従って、猫用遊具の設ける数（種類）が限定されるものであると共に、遊戯具全体が不安定なものである。
【特許文献１】特開２００４−１７３５１４号公報
【考案の開示】
【考案が解決しようとする課題】
【０００４】
猫用遊具の設ける数（種類）が限定されないと共に、遊戯具全体が堅牢で安定している、即ち、ペット（猫）を取り巻く環境がより興味深くまた快適となるようにできる猫用遊戯具を提供することにある。
【課題を解決するための手段】
【０００５】
この考案での猫用遊戯具は、その本体部を、主に支柱とジョイントとによって、略ジャングルジム状に組立てることにする。また、この猫用遊戯具の本体部に、支柱を利用してハンモック、トンネル、爪とぎ、タイヤ型遊具、サンドバック等の猫用遊具の取付けを可能としている。
【０００６】
即ち、この考案（請求項１）での猫用遊戯具は、両端に着脱自在な接続部を有する支柱が立方体の各辺位置となるようにして、各支柱の接続部をジョイントを介し接続して立方体状に組立てなる基本ユニットを、ジョイントを介して多数連結し任意の立体形状とした本体部に、ハンモック、ブランコ、トンネル、爪とぎ、タイヤ型遊具、サンドバッグ等の猫用遊具を取付けられるように構成している。
【０００７】
このようなこの考案の猫用遊戯具によれば、シンプルなスタイル、簡単で柔軟性のある組立て機能、実践的かつ堅牢な構造、そして、分解可能で容易な運搬の特徴により、すべての猫の遊びおよび飛びつき動作にとても適している。
【考案の効果】
【０００８】
この考案の猫用遊戯具は、シンプルなスタイル、簡単で柔軟性のある組立て機能、実践的かつ堅牢な構造、分解可能で容易な運搬という特徴がある。そのため、すべての猫の遊びおよび飛びつき動作にとても適している。
【考案を実施するための最良の形態】
【０００９】
［実施例１］
図１はこの考案の猫用遊戯具を示す概略斜視図である。
【００１０】
そして、この図１において、符号１は猫用遊戯具で、２は支柱で、３はジョイントで、４は基本ユニットで、５は本体部で、１１は猫用遊具である。
【００１１】
猫用遊戯具１は、両端に着脱自在な接続部を有する支柱２が立方体の各辺位置となるようにして、各支柱２の接続部をジョイント３を介し接続して立方体状に組立てなる基本ユニット４を、ジョイント３を介して多数連結し任意の立体形状とした本体部に、ハンモック６、トンネル７、爪とぎ８、タイヤ型遊具９、サンドバッグ１０、その他ブランコ等の猫用遊具１１が支柱２に各種ジョイント（図示せず）で取付けられており、本体部５の下部において、支柱２に梯子１２を取付けてなっている。
【００１２】
この実施形態の支柱２には、その外周面に、サイザイル麻、ブラシ天、カーペット等の仕上げ生地材１３が取付けられている。また、この実施形態のジョイント３には、支柱２の接続部が嵌合する嵌合用孔が複数設けられている。
【００１３】
そして、この実施形態の猫用遊戯具１は、その本体部５が、各支柱２とジョイント３とから構成されており、各支柱２の両端は接続部を利用してジョイント３によって接続できる。また、ジョイント３は、その嵌合用孔が３個、４個、５個、６個のタイプが用意されている。
【００１４】
即ち、猫用遊戯具１の本体部５は、各支柱２の接続部とジョイント３とによって、本体部５を種々の形態（略ジャングルジム状）に組立てることができる。
【００１５】
さらに、本体部５の下部には、猫が登り降りできるように、梯子１２を取付けている。
【００１６】
このようなこの考案の猫用遊戯具１によれば、各支柱２の外周面に設けられる仕上げ生地材１３には、サイザイル麻、ブラシ天または猫の引っかきに対し丈夫なカーペットから選択できる。
【００１７】
例えば、猫の飼い主は、猫用遊戯具１における立方体状の基本ユニット４を多数連結して、略ジャングルジム状とする本体部５を組立てる上で、各支柱２の外周面に取付ける仕上げ生地材１３としてサイザイル麻、ブラシ天、カーペット等、好みのものを選ぶことができる。
【００１８】
また、本体部５の各支柱２および各ジョイント３を利用して、猫用遊戯具１における所定の位置に、好みに応じて、ハンモック６、トンネル７、爪とぎ８、タイヤ型遊具９、サンドバッグ１０、その他ブランコ等の種々の猫用遊具１１を簡単に取付けられる。
【００１９】
さらに、例えば、猫の飼い主の住居環境に応じて、猫用遊戯具１の本体部５を種々の形態（略ジャングルジム状）に組立てることができる。
【００２０】
これらのことから、この考案の猫用遊戯具１によれば、猫がより活発に遊び、また飛びつくことができる。
【図面の簡単な説明】
【００２１】
【図１】この考案の猫用遊戯具を示す概略斜視図である。
【符号の説明】
【００２２】
１    猫用遊戯具
２    支柱
３    ジョイント
４    基本ユニット
５    本体部
６    ハンモック
７    トンネル
８    爪とぎ
９    タイヤ型遊具
１０  サンドバッグ
１１  猫用遊具
１２  梯子
【図１】
0003127433.tif 000003
(57)【要約】【課題】  この考案は、皮膚に接触させて掠らせるもので、疲れないし、かつ、衛生的な皮膚摩擦具を開発・製造することにある。【解決手段】この考案の一実施例を図面に従って詳述すると、木材、合成樹脂、硬質ゴム、セラミック等の素材を用い、片手のみで握れる太さのロッド状の本体（１）を設け、該本体（１）の先端部に、適宜な幅を有して横方向に平行な突起条（２）を設け、該突起条（２）の突起部（２ａ）を非尖鋭、即ち、先が尖っていない形状に形成し、皮膚の表面を掠らせて、より神経や血管を刺激することを特徴とするハンディー皮膚摩擦具から構成される。【選択図】        図１
0003127414.tif 000002
【実用新案登録請求の範囲】
【請求項１】
片手のみで握れる太さのロッド状の本体（１）を設け、該本体（１）の先端部に、適宜な幅を有し、横方向に平行な突起状（２）を設け、該突起状の突起部（２ａ）を非尖鋭に形成すると共に、該突起状（２）の後方に膨出突起部（３）を設け、皮膚の表面を掠らせて神経や血管を刺激することを特徴とするハンディー皮膚摩擦具。
【考案の詳細な説明】
【技術分野】
【０００１】
この考案は、身体の表面より掠らせて神経や血管を刺激するためのハンディー皮膚摩擦具に関するものである。
【背景技術】
【０００２】
従来、薄い下着の上から、皮膚を指先でこすり、皮下出血のような状態にし、神経を刺激し、血管の老廃物を尿から排出する治療が行われている。
【０００３】
しかし、その治療の施術者が、多数の患者の指先で直接、あるいは薄い下着を介して皮膚をこするため、指先が疲れるという欠点があった。
また、従来のものは、大型であり、両手で握る構成のものであり、片手間に簡単に使用できるものではなかった。〔例えば、特許文献１のように。〕
また、皮膚を平面的にスライドさせながら擦るものであり、幅のない突起条の圧接片では、皮膚を傷つけてしまうことになる。〔例えば、特許文献２のように〕
さらに、所謂、人体のツボをグリグリ押したり、擦る構成のものは存在するが、力任せに押すような構成のものでは、皮膚に悪影響を与えるものである。〔例えば、特許文献３のように。〕
【特許文献１】特開２００２−２０９９６０号公報
【特許文献２】登録実用新案第３０１９１４９号公報
【特許文献３】登録実用新案第３０５１９７９号公報
【考案の開示】
【考案が解決しようとする課題】
【０００４】
そこで、この考案は、皮膚に接触させて掠らせて疲れないし、かつ、衛生的なハンディー皮膚摩擦具を開発・製造することにある。
【課題を解決するための手段】
【０００５】
本考案は、片手のみで握れる太さのロッド状の本体を設け、該本体の先端部に、適宜な幅を有する突起条を設け、該突起条の突起部を非尖鋭に形成し、皮膚の表面を掠らせて、神経や血管を刺激する皮膚摩擦具から構成される。
【考案の効果】
【０００６】
本考案によると、片手のみで握れる太さのロッド状の本体（１）に形成するため、比較的楽に施術することができ、また、該本体（１）の先端部に適宜な幅を有する突起条（２）を設け、該突起条（２）の突起部（２ａ）を非尖鋭に形成することにより、患者の皮膚を掠らせるため、傷つけることなく、衛生的であり、かつ、複数の患者を連続的に施術しても問題がないという効果を奏する。
【考案を実施するための最良の形態】
【０００７】
この考案の一実施例を図面に従って詳述すると、片手のみで握れる太さのロッド状の本体（１）を設け、該本体（１）の先端部に適宜な幅を有し、横方向に平行な突起条（２）を設け、該突起条（２）の突起部（２ａ）を非尖鋭に形成し、皮膚の表面を掠らせて、より神経や血管を刺激することを特徴とするハンディー皮膚摩擦具から構成される。
【０００８】
尚、この考案の本体（１）の素材は、木材、合成樹脂、硬質ゴム、セラミック等のいかなる素材でもよい。
【０００９】
また、この考案の本体（１）の突起条（２）は、適宜な幅を有し、横方向に平行な突起条であってもよく、やや、湾曲した突起条であってもよい。
【００１０】
さらに、この考案の突起条（２）の突起部（２ａ）は、非尖鋭、即ち、先が尖っていないものであり、そのように構成することにより、皮膚（Ｘ）に接触した状態で、突起部（２）を、誤って、横方向に移動させても皮膚（Ｘ）を傷つけることがないよう配慮したものである。
【００１１】
また、突起条（２）の後方に膨出突起部（３）を設ければ、該膨出突起部（３）で皮膚（Ｘ）を指圧しながら、突起条（２）で摩擦できたり、突起条（２）の皮膚（Ｘ）への角度を調整することも可能である。
【００１２】
この考案の使用にあたっては、図４に示すように、皮膚（Ｘ）に対して一定の角度で突起条（２）の突起部（２ａ）を接触させ、かつ、突起部（２ａ）を軽く擦る、即ち、掠らせるものである。
【産業上の利用可能性】
【００１３】
この考案は、ロッド状の本体（１）の製造技術を確立し、かつ、本体（１）を用いて、施術することによって、産業上の利用可能性を有する。
【図面の簡単な説明】
【００１４】
【図１】この考案の一実施例を示す斜視図である。
【図２】この考案の他の実施例を示す一部拡大斜視図である。
【図３】この考案の他の実施例を示す斜視図である。
【図４】この考案の他の実施例の使用状態を示す説明図である。
【符号の説明】
【００１５】
１  ロッド状の本体
２  突起条
２ａ  突起部
３  膨出突起部
Ｘ  皮膚
【図１】
0003127414.tif 000003
【図２】
0003127414.tif 000004
【図３】
0003127414.tif 000005
【図４】
0003127414.tif 000006
(57)【要約】【課題】  気象条件が様々に変化し、特に降水量が多い日本において、１つの機材で風・太陽熱・雨・雪等様々なエネルギーを用いた発電を可能にすることによって、家庭における効率よい発電を可能にし、ひいてはエネルギー問題や地球環境問題にも役立つ機材の提供。【解決手段】  パドル型風力発電機を太陽集熱炉と組み合わせることにより、風のある日には風を利用して水平面を回転する風力発電機として、日射の強い日には太陽集熱炉で生じさせた水蒸気を利用して水平面を回転する太陽熱発電機として使用可能にする。またパドル型風力発電機の回転軸を９０度傾けることができるようにすることによって、雨や雪の日には雨・雪の他雨どいに取り付けた漏斗から流れ落ちる水を利用して垂直面を回転する水力発電機として使用可能にする。【選択図】図１
0003127489.tif 000002
【実用新案登録請求の範囲】
【請求項１】
パドル型風力発電機を太陽集熱炉と組み合わせ、太陽集熱炉で生じた水蒸気が発電機の回転軸とパドルの内部を通ってパドルの柄の部分から噴出するようにすることにより、風の強い日には風によって、日射の強い日には太陽熱によって生じた水蒸気を利用して発電することを可能にし、またパドル型風力発電機の回転軸を９０度傾けることができるようにすることにより、雨の日には雨と水によって、雪の日には雪と水によって発電することを可能にした自家用発電機。
【考案の詳細な説明】
【技術分野】
【０００１】  本考案は、パドル型風力発電機を太陽集熱炉と組み合わせることにより、風の強い日には風によって、日射の強い日には太陽熱によって生じた水蒸気を利用して発電することを可能にし、またパドル型風力発電機の回転軸を９０度傾けることができるようにすることにより、雨の日には雨と水によって、雪の日には雪と水によって発電することを可能にした自家用発電機に関するものである。
【考案の開示】
【背景】
【０００２】  石油・石炭・天然ガス等の化石燃料の燃焼によって、ＣＯ２・ＮＯ２・ＳＯ２等のガスが排出され、ＣＯ２による地球温暖化、ＮＯ２・ＳＯ２による光化学スモッグや酸性雨等が全地球的な問題となっている。石油価格の高騰もあり、自然エネルギー利用による発電が期待されている。
【考案が解決しようとする課題】
【０００３】  自治体等で風力発電が普及しつつあるが、風が強い場所や日数は限られ、あまり発電量は期待できないようだ。また家庭用太陽光発電も普及しつつあるが、費用が高い・生産や廃棄を考えればクリーンエネルギーとは言い難い・使用可能期間が長くない・晴天日数や日照時間が限られる等の問題がある。一方で日本は降水量が多く、雨水を発電に利用できれば理想的であると言える。
そこで、１つの機材で風・太陽熱・雨・雪等様々なエネルギーを用いて発電することができれば、家庭における効率よい発電が可能になると考えられ、それが普及することによってエネルギー問題や地球環境問題にも役立つことが期待できる。
【課題を解決するための手段】
【０００４】  パドル型風力発電機を太陽集熱炉と組み合わせることによって、風のある日には水平面を回転する風力発電機として、日射の強い日には水平面を回転する太陽熱発電機として利用可能にし、またパドル型風力発電機の回転軸を９０度傾けることができるようにすることによって、雨や雪の日には垂直面を回転する水力発電機として利用可能にする。
パドル型風力発電機は発電量が小さく大規模な発電には向いていないとされているが、家庭単位で行うような絶えず風向きが変わる小規模な発電には向いていると思われ、また他の発電様式と組み合わせることによって欠点がカバーできると考える。
日射の強い日には、太陽集熱炉の反射放物面からの熱を受けて金属パイプ内の水が沸騰・蒸発し、その水蒸気が発電機の回転軸やパドルの内部を通ってパドルの柄の部分から噴出するようにすることによって、発電機が効率よく回転するようにする。風も日射もある日には、風力と太陽熱の両者が相乗効果を生み出すことが期待できる。
雨や雪の日には、発電機の半分に直接雨や雪が当たるようにし、また雨どいに漏斗を取り付けて雨どいから流れ落ちる水が直接パドル部分に当たるようにすることによって（図５）、発電機が効率よく回転するようにする。
【考案の効果】
【０００５】  日本は四季の変化がはっきりしており、風が強い日・日射が強い日・雨の日・雪の日等があるが、一年を通して見ればそれぞれの日数はそれほど長くはない。それぞれの気象条件において発電することができれば、一年を通しての発電量は相当な量になるはずである。
【考案を実施するための最良の形態】
【０００６】  フレーム内の回転軸の最上部と最下部にスラスト玉軸受を設置する（図２）。２つのスラスト玉軸受の上半部はパドル・アーム・回転軸と一体になって回転し、下半部はフレームに固定されている。これによってパドル・アーム・回転軸のスムーズな回転、本体の高い安定性、回転軸と水蒸気を供給する伸縮式パイプとのスムーズな連結が可能になる。
水蒸気噴出口の出口には弁を取り付け、内部の水蒸気の圧力を高めやすくし、また外部からの水や空気の侵入を防ぐようにする。
タンクと太陽集熱炉の間には弁を設け、金属パイプ内の水が減少してきたら補うようにする（図３）。
【図面の簡単な説明】
【０００７】
【図１】風力および太陽熱発電機として利用する時の図
【図２】発電機の内部の図
【図３】太陽集熱炉とタンクの図
【図４】水力発電機として利用する時の図
【図５】雨どいに取り付けた漏斗の図
【符号の説明】
【０００８】１、  パドル
２、  アーム
３、  水蒸気噴出孔（弁つき）
４、  発電用歯車（大）
５、  発電用歯車（小）
６、  フレーム
７、  土台
８、  回転軸
９、  スラスト玉軸受
１０、伸縮式パイプ
１１、太陽集熱炉からのパイプが通る穴
１２、モーター
１３、コード
１４、コードが通る穴
１５、タンク
１６、弁
１７、熱吸収用金属パイプ
１８、反射放物面（アルミ加工）
１９、雨どい
２０、漏斗
【図１】
0003127489.tif 000003
【図２】
0003127489.tif 000004
【図３】
0003127489.tif 000005
【図４】
0003127489.tif 000006
【図５】
0003127489.tif 000007
(57)【要約】      （修正有）【課題】紐により物を束ねる時紐がよれ、機械で束ねる時電気代がかかった【解決手段】金属やプラスチック又は木で作った板（１）の右中部に、ひっかけイ（２）を設け、下部にひっかけハ（４）を設け、右中部のひっかけイ（２）と下部のひっかけハ（４）の間に、ひっかけロ（３）を設け、左中部にはさみニ（５）を設け、上部にはさみホ（６）を設け、挟みニ（５）に紐（７）の先端を挟み、次にひっかけイ（２）に引っ掛け、その次にひっかけロ（３）に引っ掛け、それからひっかけハ（４）に引っ掛け、その後はさみホ（６）に挟み、輪を作成する。その上に物（８）を載せ、紐（７）をひっかけと、はさみから外し、物（８）を束ねる。【選択図】図３
0003127486.tif 000002
【実用新案登録請求の範囲】
【請求項１】
金属やプラスチック又は木で作った板（１）の右中部に、ひっかけイ（２）を設け、下部にひっかけハ（４）を設け、右中部のひっかけイ（２）と下部のひっかけハ（４）の間に，ひっかけロ（３）を設け，左中部にはさみニ（５）を設け、上部にはさみホ（６）を設ける。
以上のごとく構成された物を束ねるための輪保持具。
【考案の詳細な説明】
【技術分野】
【０００１】この考案は金属やプラスチック又は木の板に、ひっかけと、はさみを施した物を束ねるための輪保持具に関するものである。
【背景技術】
【０００２】従来、物を束ねる時は、ひもを使用して手で束ねるか、ビニルひもやビニル帯を使用して機械で束ねていた。
【考案の開示】
【考案が解決しようとする課題】
【０００３】  手で束ねる場合は紐がよれ、機械で束ねる場合は電気代がかかるという欠点があった。
【課題を解決するための手段】
【０００４】金属やプラスチック又は木で作った板（１）の右中部に、ひっかけイ（２）を設け、下部にひっかけハ（４）を設け、右中部のひっかけイ（２）と下部のひっかけハ（４）の間に、ひっかけロ（３）を設け、左中部にはさみニ（５）を設け、上部にはさみホ（６）を設ける。
本考案は以上のような構成によりなる物を束ねるための輪保持具である。
【考案の効果】
【０００５】  考案は以上のような構造で、これを使用するときは、はさみニ（５）に紐（７）の先端を挟み、次にひっかけイ（２）に引っ掛け、その次にひっかけロ（３）に引っ掛け、それからひっかけハ（４）に引っ掛け、その後、はさみホ（６）に挟み、輪を作成する。
【考案を実施するための最良の形態】  以上の構成であるから、いま物を上に載せひっかけとはさみからひもを外すと物をくくる事ができる。
【図面の簡単な説明】
【０００６】
【図１】本考案の平面図及び正面図である。
【図２】本考案の実施例を示す平面図である。
【図３】本考案の実施例を示す斜視図である。
【符号の説明】
【０００７】１  金属やプラスチック又は木で作った板
２  ひっかけイ
３  ひっかけロ
４  ひっかけハ
５  はさみニ
６  はさみホ
７  紐
８  物
【図１】
0003127486.tif 000003
【図２】
0003127486.tif 000004
【図３】
0003127486.tif 000005
(57)【要約】【課題】洗濯されたクリニング商品は従来、そのまま洗ったままで顧客に渡されていたが、最近は滅菌および殺菌をした上で顧客に渡す事が必要とされるようになり、本考案ではクリニング商品を簡単且つ、完全なる殺菌と清潔環境を顧客に提供することにある。【解決手段】計量目盛（１）を設けた、蒸発容器（２）の把手（３）の上面に、マイクロファン（７）を設け、この蒸発容器（２）に二酸化塩素溶液（４）を適量注ぎ込んで設け、洗濯したクリニング商品（５）を吊るした密閉室（６）に、この蒸発容器（２）を配置して設け、装着する。【選択図】図２
0003127487.tif 000002
【実用新案登録請求の範囲】
【請求項１】
計量目盛（１）を設けた、蒸発容器（２）の把手（３）の上部部位に、マイクロファンを設け、この蒸発容器（２）に二酸化塩素溶液（４）を適量注ぎ込んで設け、洗濯したクリニング商品（５）を吊るした密閉室（６）に、この蒸発容器（２）を配置して設け、装着してなる、クリニング商品の滅菌および殺菌器具装置。
【考案の詳細な説明】
【技術分野】
【０００１】  本考案は、洗濯したクリニング商品の滅菌および殺菌する技術に関するものである。
【背景技術】
【０００２】  現在でも、クリニングして仕上げたものは、そのまま顧客に渡していた。
【考案の開示】
【考案が解決しようとする課題】
【０００３】  従来、クリニング商品は洗濯して仕上げれば、ほとんどそれで十分であった。【０００４】  しかし最近、レジオネラ菌や鳥インフルエンザ、サーズ、大腸菌、黄色ブドウ球菌ＭＲＳＡ、有害カビ類など、世の中の取り巻く環境に疑念を持たれている現実があり、日毎に、クリニング商品の衛生面も厳しい状況におかれ、ドライクリニングにしても水洗濯のランドリーにしても、仕上げ後に滅菌や殺菌を取り入れて顧客に渡す事が、普通になりつつある。【０００５】  現時点では、なかなかコスト競合により、余分な工程を追加したくないのが本音である。このためローコストで簡単な方法を考えながら、日夜模索しているのである。
本考案は、このような問題を改善する為になされたものである。
【課題を解決するための手段】
【０００６】  計量目盛（１）を設けた、蒸発容器（２）に把手（３）を取付け、さらに把手（３）の上面に、マイクロファン（７）を設ける。そして蒸発容器（２）に、適量の二酸化塩素溶液（４）を注ぎ込んで設ける。このマイクロファン（７）は、蒸発容器（２）に充填する、二酸化塩素溶液（４）の気化作用をスムーズに促進させるために、静かな風を当てる目的で装着する。また、密閉室（６）にその気化ガスを循環させるためでもある。さらにこれらを設けた、蒸発容器（２）を洗濯したクリニング商品（５）を吊るした、密閉室（６）の適当なる位置に配置して設ける。【０００７】  また、水洗いランドリーにおいては、水洗機（８）の石鹸等洗剤投入する時に、蒸発容器（２）に、計量目盛（１）の量に合わせた、二酸化塩素溶液（４）を充填して、そのまま洗濯物と共に流し込んで洗濯すると、７０％の滅菌、殺菌が得られる。
この計量目盛（１）は、洗濯するものの種類、およびその数により二酸化塩素溶液（４）の使用量を決めているので、重要な計量器としても機能させている。
【考案の効果】
【０００８】  １．殺菌効果・消臭効果が大きいので、顧客に対して安心と清潔感、気持良さを提供クリニング商品の信頼や信用が上がった。
２．二酸化塩素溶液は、単に殺菌力が強いだけでなく、環境に無害で安全な薬剤で知られており、特に人の肌に接触する商品には最適な活用方法である。
３．水洗機で洗ったものは、クリニング商品に柔軟性が加わり、ソフトに仕上がる。
【考案を実施するための最良の形態】
【０００９】  洗濯される、クリニング商品の種類や量により決められた、計量目盛（１）を、蒸発容器（２）に設ける。さらに蒸発容器（２）に把手（３）を設けて、持ち運び取り扱いを考慮したものにする。そしてこの把手（３）の上面に、マイクロファン（７）を設ける。次に蒸発容器（２）の中に、必要適量の二酸化塩素溶液（４）を充填して設ける。この二酸化塩素溶液（４）は、濃度２０００ｐｐｍの気化性でガス化し易い液体である。そして、マイクロファン（７）は微風を蒸発容器（２）の中に送り込み、二酸化塩素溶液（４）の気化作用を効率よく行わせる目的で装着して設ける。これらを、クリニング商品（５）を吊るした密閉室（６）に、適当なる位置に配置して設ける。これにより密閉室（６）全体が二酸化塩素で満たされ、クリニング商品（５）の滅菌および殺菌が促進される。約２０分程で完全に殺菌される。
本考案は以上のような構成であり、これを使用せんとするときには、【００１０】  ドライクリニングを終えた、クリニング商品（５）を密閉室（６）に吊るす。次に計量目盛（１）に合わせて、二酸化塩素溶液（４）を、蒸発容器（２）に注入する。そして密閉室（６）にこの蒸発容器（４）を置き、マイクロファン（７）のスイッチを入れて、ファンを回す。これで２０分程たてば、クリニング商品（５）は１００％殺菌されるので、この後ビニール袋にクリニング商品（５）を密閉して、顧客に渡される。【００１１】  また、ドライクリーニングではなく、水洗いするランドリーの場合は、水洗機（８）の石鹸等の洗剤を投入する時に、蒸発容器（２）に二酸化塩素溶液（４）を洗濯物の種類、量に、合わせた計量目盛（１）に従って充填注入し、洗剤と一緒に水洗機（８）に投入する。つまり、この時は蒸発容器（２）を計量器として利用する。この場合は洗い終わった状態で、殺菌率は約７０％とになる。どうしても１００％の要求がある時は、ドライクリニングと同様に密閉室（６）に吊るして、殺菌すれば良い。
【図面の簡単な説明】
【００１２】
【図１】  本考案の斜視図である。
【図２】  本考案の実施図である。
【図３】  本考案の水洗い実施図である。
【符号の説明】
【００１３】  １  計量目盛
２  蒸発容器
３  把手
４  二酸化塩素溶液
５  クリニング商品
６  密閉室
７  マイクロファン
８  水洗機
【図１】
0003127487.tif 000003
【図２】
0003127487.tif 000004
【図３】
0003127487.tif 000005
(57)【要約】【課題】    従来の照明付鏡は固定式が多くハンドバックやポケットに収納できる小型で夜間暗い場所で化粧なおしや身だしなみチェックを行える照明付携帯用鏡がない課題があつた。【解決手段】    小型で収納しやすい携帯形にする為に照明部と広角鏡の２面の折りたたみ式とし照明の光源に高輝度白色ＬＥＤをもちい電源にはボタン電池を使用して夜間暗い場所でも照明部は蝶番により照明角度を可変でき化粧のなおしや身だしなみの他、照明装置としても利用出来る効果がある。【選択図】図１
0003127484.tif 000002
【実用新案登録請求の範囲】
【請求項１】
小型照明装置面と広角鏡面を折りたたみ式として組み合わせた照明付携帯用鏡
【考案の詳細な説明】
【技術分野】
【０００１】  本考案は夜間暗い場所でも小型照明装置内蔵の照明によって化粧修正や身だしなみチェックが可能な携帯用鏡に関する。
【背景技術】
【０００２】  従来の照明付鏡は化粧室の固定式が多く照明付携帯鏡はなかった。
【考案の開示】
【考案が解決しようとする課題】
【０００３】  従来の照明付鏡は固定式で大きすぎるしハンドバックに収納出来るような小型の携帯式でかつ夜間暗い場所でも使用できるようにする課題がある。
【課題を解決するための手段】
【０００４】  小型収納しやすく携帯にする為に２面で折りたたみ方式とし１面を照明部に後の１面を顔全体が映るよう広角鏡とした。【０００５】  照明の光源として高輝度白色ＬＲＤを数個使用し、面照明にするため表面に半透明乳白板をもうけ又光を効率よく広げるため中間に拡散フイルター板を取り付け電源はボタン電池を使用した。
【考案の効果】
【０００６】  本考案の照明付鏡は小型でハンドバックやポケットなどに携帯収納出来、夜間暗い場所でも化粧なをしや身だしなみチェックはもとより、鍵穴照明、地図の地名照明確認などいろいろ夜間照明などの利用効果がある。
【考案を実施するための最良の形態】
【実施例】
【０００７】  本考案の図面に従って説明する、［図１］は開鏡図で１本体の１ａ照明ケースと１ｂ鏡ケースを持ち４蝶番をかえしてＬ字形に開いた状態、半透明乳白色板面のＬＥＤ２照明部で顔を照らした部分を５広角鏡に映し化粧なおしや身だしなみチェックを行う、目より上部を照らす場合は１ａ照明部をＬ字の上にし、唇など下部を照らしたい場合は１ａ照明部をＬ字の下に反転して使用するとより効果的です、
電源は小型軽量にするためボタン電池を使用し３電池部に収納した。【０００８】  ［図２］は収納状態図で１ａ照明部と１ｂ広角鏡部の２分割けし４蝶番によって折りたたみ式としハンドバックやポケットに収納しやすくした。【０００９】  ［図３］は２照明部断面図で１ａ照明ケースに８小型高輝度白色ＬＥＤと９発光電流調整用抵抗器を１０プリント基板に取り付け１ａ照明ケースに取り付け上部中間に光拡散ようとして７拡散フイルターをもうけ上部に６半透明乳白板を取り付け面発光照明とした、
１ｂ照明ケースは４蝶番によって照明部の角度を可変でき照明としての応用が拡大される。
【図面の簡単な説明】
【００１０】
【図１】  開鏡図
【図２】  収納状態図
【図３】  照明部断面図
【符号の説明】
【００１１】  １    本体
１ａ  照明ケース
１ｂ  鏡部ケース
２    照明部
３    電池部
４    蝶番
５    広角鏡
６    半透明乳白板
７    拡散フイルター
８    小型高感度白色ＬＥＤ
９    発光電流調整用抵抗器
１０  プリント基板
【図１】
0003127484.tif 000003
【図２】
0003127484.tif 000004
【図３】
0003127484.tif 000005
(57)【要約】【課題】  今までは素材としてガラスのみを使用したグラスが殆どで、味気ないものであった。ガラスと和紙を一体化しグラスとする事により、グラス自体に遊び心を生み出し、前述の欠点を解決せんとするものである。【解決手段】  本案件はグラス本体の上部（飲料を注ぎ入れる部分）と下部（台座）の間に和紙を施し、グラスの使用者の目を楽しませ、それによって使用する喜びを与えることにより問題点を解決している。【選択図】図１
0003127491.tif 000002
【実用新案登録請求の範囲】
【請求項１】
ガラスを素材としたグラス本体と、木を素材とした台座部分の間に和紙を施し、グラス全体の涼風感と付加価値を高めた点を特徴とするグラス。
【請求項２】
ガラスを素材としたグラスの上部と下部の間に空間を設け、その間に和紙を施した物で、全く異なった素材のコラボレーションにより、グラス全体の涼風感と付加価値を高めた点を特徴とするグラス。
【請求項３】
ガラスを素材としたグラス本体と、プラスチックを素材とした台座部分の間に和紙を施し、グラス全体の涼風感と付加価値を高めた点を特徴とするグラス。
【考案の詳細な説明】
【技術分野】
【０００１】  本案件は、ガラスの素材と和紙を組み合わせた、飲料用グラスに関するものである。
【背景技術】
【０００２】  レストラン、飲食店、家庭等において飲料を口にする際にグラスを必要とする為。
【考案の開示】
【考案が解決しようとする課題】
【０００３】  今までは素材としてガラスのみを使用したグラスが殆どで、味気ないものであった。
ガラスと和紙を一体化しグラスとする事により、グラス自体に遊び心を生み出し、前述の欠点を解決せんとするものである。
【課題を解決するための手段】
【０００４】  本案件はグラス本体の上部（飲料を注ぎ入れる部分）と下部（台座）の間に和紙を施し、グラスの使用者の目を楽しませ、使用する喜びを与えることにより問題点を解決している。
【考案の効果】
【０００５】  上述の様に、本案件の涼感和紙グラスはガラスと和紙の融合により遊び心が加わり、使用する楽しみが増え、癒しの効果がある。
【考案を実施するための最良の形態】
【０００６】  本案件は飲料用グラス本体の上部と凹みを設けた下部（台座）との間に和紙を施し、接着剤にて上部と下部を固定する事により、従来のガラスのみを使用したグラスと異なり、付加価値の高いグラスとなる。
【実施例】
【０００７】  以下、添付図面に従って一実施例を説明する。１は飲料を注ぎ入れるグラス本体であり、３の台座部分に設けられた４の凹部分に２の和紙を入れ、接着する。
【図面の簡単な説明】
【０００８】
【図１】本案件のグラスの一例を示す斜視図である。
【図２】同上グラスの分断図である。
【符号の説明】
【０００９】１  飲料用グラス本体
２  和紙
３  台座
４  台座に設けられた空間
【図１】
0003127491.tif 000003
【図２】
0003127491.tif 000004
(57)【要約】【課題】  本考案は、壁紙をカットするときにカッターを案内するための道具で、ヘラ板の先端の一側面側に補助板を取り付けた、壁紙カット用ヘラに関するものである。従来、地ベラは壁紙を貼るときにはみ出した余分な部分に地ベラを押し当て、カッターナイフでカットする際に用いられているが、壁紙カット用ヘラを長時間使用するにも関わらず軽量化が図られていなかった。【解決手段】  握持部１とヘラ板３よりなる壁紙カット用ヘラにおいて、薄板状のヘラ板３の先端４から一側面側に、ヘラ板３の巾方向に等長の補助板５を取付けたことにより、壁紙カット用ヘラの軽量を図った。【選択図】図１
0003127492.tif 000002
【実用新案登録請求の範囲】
【請求項１】
握持部とヘラ板よりなる壁紙カット用ヘラにおいて、ヘラ板の先端から一側面側に、ヘラ板の巾方向に等長の補助板を取り付けたことを特徴とする壁紙カット用ヘラ。
【考案の詳細な説明】
【技術分野】
【０００１】  本考案は、壁紙をカットする時にカッターを案内するための道具で、ヘラ板の先端の一側面側に補助板を取り付けた、壁紙カット用ヘラに関するものである。
【背景技術】
【０００２】  従来、壁紙カット用ヘラは壁紙を貼るときにはみ出した余分な部分にヘラ板を押し当て、カッターナイフでカットする際に用いられるが、壁紙カット用ヘラを長時間使用するにも関わらず、ヘラ板の軽量化が図られていなかった。
【特許文献１】実開平０６−０６４７７５
【考案の開示】
【考案が解決しようとする課題】
【０００３】  従来の壁紙カット用ヘラは、用途に応じて、所定の厚みの金属製の平板を切削加工等してヘラ板を形成しているので、何ら、ヘラ板の軽量化は図られていなかった。このため、作業者が長時間の作業で手首等への負担が大きくなるという問題が生じている。本考案は、上記の問題を解決するために、ヘラ板の軽量化を図った壁紙カット用ヘラを提供することを目的としたものである。
【課題を解決するための手段】
【０００４】  上記目的を達成するために、本考案は薄板状の金属板を切削加工等してヘラ板を形成し、用途に応じたヘラ板の先端の厚みを確保するために前記、ヘラ板の先端から一側面側に、ヘラ板の巾方向に等長の補助板を取り付けて、ヘラ板の先端の厚みを確保した。
【考案の効果】
【０００５】  上記のように本考案は、薄板状の金属板を切削加工等したヘラ板の先端の一側面側に、先端の厚みを調整する補助板を取り付けることにより、先端の厚みを確保できるので、従来のヘラ板の先端の厚みと均一の厚みになっているヘラ板に比べて、本考案のヘラ板は肉薄で良いのでヘラ板の重量の軽量化が図れ、長時間の壁紙張り作業において、作業者の腕、手首の負担が少なくなり、作業効率が上がる。
【考案を実施するための最良の形態】
【０００６】  巾広状の支持基板部の上方の中央より握持部を立上がり状に配置させ、ヘラ板を支持基板部の下部にリベットで取り付け固定している。このヘラ板の先端から一側面側に、ヘラ板の巾方向に等長の補助板を取付けたものである。
【実施例】
【０００７】  １は木製、プラスチック等で形成した握持部で巾広状の支持基板部２の上方の中央より立上がり状に配置されている。３はステンレス等の薄板状の金属板を切削加工等して形成されたヘラ板である。４はヘラ板３の先端である。５はヘラ板３の先端４から一側面側に、ヘラ板３の巾方向に等長に取り付けられた補助板である。補助板５はヘラ板３と同材質で形成されており、金属を貼り合わせる両面テープ、接着材等の接着層を介して取り付けたもので、ヘラ板３は支持基板部２の下方部にリベットなどで固定されている。
本考案は、以上のような構成であるから、ヘラ板自体は肉薄でよく、ヘラの先端に取付けた補助板で厚みを調整するので重量の軽量化につながる。
【図面の簡単な説明】
【０００８】
【図１】  本考案の壁紙カット用ヘラの実施例を示す正面図である。
【図２】  本ヘラの一部切欠断面図である。
【符号の説明】
【０００９】１  握持部
２  支持基板部
３  ヘラ板
４  先端
５  補助板
【図１】
0003127492.tif 000003
【図２】
0003127492.tif 000004
(57)【要約】      （修正有）【課題】従来の下駄に木製や鉄製のものがあったが、前面的に健康増進を目的とした製品は存在していなかった。プロミナール健康下駄は、前後の「は」の長さを変え、台座に１５度の傾斜をつけると共に、下駄に重量をつけ、歩行を楽しみながら健康増進が図れる。【解決手段】前部の「は」と後部の「は」の長さを変え、下駄の台座に１５度の傾斜をつけた。１５度の傾斜は、人体の足首が、足を伸ばした状態から上方に曲がる角度となっている。この状態を保つことで、人間の骨格が正常な姿勢を保つことができるプロミナール健康下駄。【選択図】図３
0003127498.tif 000002
【実用新案登録請求の範囲】
【請求項１】
鋳物製又は鉄製下駄２に木製板１を接着させ、鼻緒３の取り付け穴が、各指又４箇所にあけられ、鼻緒が取り付けられた下駄。
【考案の詳細な説明】
【考案の詳細な説明】
【考案が解決しようとする課題】
【０００１】  従来、木製や鉄製の下駄は、前後の「は」の長さは同じで製作されていた。この種の下駄は歩行にも違和感があり、身体に及ぼす効力もない問題点を有していた。
【課題を解決するための手段】
【０００２】  上記目的を達成するために、下駄を木板と鋳鉄又は鉄板を接着させ、「は」の長さを、前が長く後ろを短くした。そのために、下駄の傾斜を１５度に保つように改良し、鼻緒を４箇所に取り付ける新しい方法を取り入れ、歩行時に足の指全体に力が入るように工夫をこらした。
【考案の効果】
【０００３】  下駄の台を鋳鉄又は鉄板にすることで、下駄に傾斜をつけることが可能となった。この傾斜を１５度にすることで腰が伸び、身体全体の姿勢が正しく保たれる歩行が可能となる。そのことによって、血行も良くなって健康につながり、下駄に重量をもたせた歩行によって、足全体に健全な筋力と筋肉がつき、健康体を得ることができるのである。
【図面の簡単な説明】
【図１】下駄の斜視図である。
【図２】下駄の上面図である。
【図３】下駄の側面図である。
【符号の説明】
１  木製板
２  鋳鉄又は鉄板（下駄の本体）
３  鼻緒
４  鼻緒取り付け穴
【図１】
0003127498.tif 000003
【図２】
0003127498.tif 000004
【図３】
0003127498.tif 000005
(57)【要約】【課題】      池、湖沼、河川、海辺等の水底に水草を植生するために、水草の種を付着させた紙パルプシートを張る方法が取られている。また、カゴを沈めて植生する方法も取られている。しかし、ヘドロや水流のある水底においてはシートやカゴが安定しないため水草を効果的に植生することができない。【解決手段】  そこで本考案では、間隙のある容器に石を詰めて水草や海草の種を付着させた天然ヤシ繊維マットを敷き、間隙のある蓋で押さえて水底に沈める。  長尺の水草や海草の種を付着させた天然ヤシ繊維マットに間隔をおいて側面を切欠した間隙のある容器を連結して広範囲の水底に敷設することもできる。【選択図】図１
0003127499.tif 000002
【実用新案登録請求の範囲】
【請求項１】
ヘドロや水流のある水底に水草や海草を植生するために、間隙のある容器の底に石を詰めて重りとした上に、水草や海草の種を付着した天然ヤシ繊維マットを敷き、間隙のある蓋を閉じた構成であることを特徴とする植生沈床マット。
【請求項２】
両側面上部を切欠した間隙のある容器に詰石をした上に水草や海草の種を付着した天然ヤシ繊維マットの先端を間隙のある容器の側面より突出させて敷き、間隙のある蓋を閉じた構成で、同一の天然ヤシ繊維マットで複数の間隙のある容器を連結することを特徴とする植生沈床マット。
【考案の詳細な説明】
【技術分野】
【０００１】  本考案は、ヘドロや水流のある池、湖沼、河川、海辺等において、水草や海草の種の生育に天然ヤシ繊維マットを用いて植生を効果的に行うための手段に関している。
【背景技術】
【０００２】  多くの池、湖沼、河川、海辺等で水草、海草、海藻等が失われ、水質汚染と魚介類の減少の原因となっている。しかし、ヘドロが堆積したり、水流のある水底で水草、海草、海藻等が自生するのを待つのは不可能である。植生条件の良い水底では水草や海草の種を蒔いたり、水草や海草の種を付着させた紙パルプシートを張ることも可能であるが、大半の場所では植生に苦労している。
【考案の開示】
【考案が解決しようとする課題】
【０００３】  池、湖沼、河川、海辺等の水底に水草や海草を植生するために、水草や海草の種を付着させた紙パルプシートを張る方法が取られている。また、カゴを沈めて植生する方法も取られている。しかし、ヘドロや水流のある水底においてはシートやカゴが安定しないため水草や海草を効果的に植生することができない。
【課題を解決するための手段】
【０００４】  そこで本考案では、水草や海草の種を付着させた天然ヤシ繊維マットをヘドロや水流のある水底に沈めて安定させるために、水が通過するように間隙のある容器を作成して底に石を詰め、詰石の上に天然ヤシ繊維マットを敷き、天然ヤシ繊維マットを水草や海草の生長を妨げないように間隙のある蓋で押さえて水底に沈める。間隙のある容器は金網や隙間を開けた枠体で形成される。水草や海草の種を付着させた天然ヤシ繊維マットは間隙を持った厚みがあるため間隙のある蓋で天然ヤシ繊維マットを押さえたとき、間隙のある蓋は容易に閉まり、蓋の隙間を通過して水草や海草が成長する。
広範囲な水底に水草や海草を植生するために、水草や海草の種を付着した天然ヤシ繊維マットを水底に敷き詰めることが望ましい。しかし、水草や海草の種を付着した天然ヤシ繊維マットを敷いた間隙のある容器を連結して並べると、コストも掛かり、作業性も良くない。そこで、請求項２に記載のように、間隙のある容器の側面より水草や海草の種を付着した天然ヤシ繊維マットが突出し、長尺の天然ヤシ繊維マットが間隔をおいて石詰の間隙のある容器に納まるように連結することで、天然ヤシ繊維マットを効果的に水底に敷設することができる。
【考案の効果】
【０００５】  本考案の効果は下記の通りである。
［イ］    植生沈床マットをヘドロや水流のある水底に設置できる。
［ロ］    広範囲に敷設できる。
［ハ］    設置作業が容易である。
［ニ］    稚魚や幼虫の育成に貢献する。
【考案を実施するための最良の形態】
【０００６】  以下、本考案の実施の形態について説明する。
【実施例１】    図１は本考案になる植生沈床マットの説明図であり、図２は断面図である。間隙のある容器（１）の底に石（２）を詰め、水草の種を付着した天然ヤシ繊維マット（３）を敷き、間隙のある蓋（４）を閉めた状態を示している。天然ヤシ繊維マット（３）は間隙のある厚みがあるので詰めた石（２）が平らでなくても天然ヤシ繊維マット（３）を石（２）の上の敷いて、間隙のある蓋（４）を閉めることが可能である。
図３は天然ヤシ繊維マット（３）に付着した水草の種が成長して水草（６）になった状況を示している。
【実施例２】
【０００７】    図４に示すように、間隙のある容器（１）の側面を切欠し、天然ヤシ繊維マット（３）が間隙のある容器（１）の側面（５）より突出した状態で間隙のある蓋（４）を閉めることができると、間隙のある容器（１）の連結に天然ヤシ繊維マット（３）を利用できるので作業も楽であり、天然ヤシ繊維マット（３）をロールの状態で使用でき、切断する手間も不必要になる。また運搬も容易になり、作業性の向上に繋がる。長く伸ばした天然ヤシ繊維マット（３）の間に重りとなる間隙のある容器（１）が間隔をおいて連なって下がっている状態となるので、水底の状況に合わせて効果的に敷設することができる。
【産業上の利用可能性】
【０００８】  ヘドロや水流のある池、湖沼、河川、海辺等において、天然ヤシ繊維マットを効果的に用いる植生手段であり、水辺の法面に利用することも可能である。
【図面の簡単な説明】
【０００９】
【図１】本考案になる植生沈床マットの説明図である。
【図２】本考案になる植生沈床マットの断面図である。
【図３】本考案になる植生沈床マットの使用状況を示す説明図である。
【図４】本考案になる植生沈床マットの説明図である。
【符号の説明】
【００１０】  １  間隙のある容器
２  石
３  天然ヤシ繊維マット
４  間隙のある蓋
５  側面
６  水草
【図１】
0003127499.tif 000003
【図２】
0003127499.tif 000004
【図３】
0003127499.tif 000005
【図４】
0003127499.tif 000006
(57)【要約】【課題】テレビ、パソコンなどの画面の汚れを拭き取るクリーナーを、使用しない時に、立てかけて置き、紛失を防ぐ様にした物である。【解決手段】クリーナー布とビニールの間にスポンジを挟み、周囲を熱溶着し、クリーナー部の反対側に、立てかけられる形状の持ち手を付ける。【選択図】図１
0003127494.tif 000002
【実用新案登録請求の範囲】
【請求項１】
テレビ、パソコン等の画面の汚れを拭き取るクリーナーを、布等のクリーナー部とビニールの間にスポンジをはさみ、周囲を熱溶着し、クリーナー部の反対側に使用しない時にアイロンの様に、立てかけられる形状になる手持ち用フックを付け、スタンド型にした、画面クリーナー。
【考案の詳細な説明】
【技術分野】
【０００１】本考案は、画面クリーナーを使用しない時立てかけて置ける様にした物である。
【背景技術】
【０００２】画面クリーナーには、布状、はたき形、ブラシ形などの物がある。
【考案の開示】
【考案が解決しようとする課題】
【０００３】布状、はたき形、ブラシ形などのクリーナーは大きく収納に不便であり、画面使用時手元に置きにくい、高価である、きれいに拭き取りにくい等の点がある。
【課題を解決するための手段】
【０００４】テレビ、パソコン等の画面の汚れを拭き取るクリーナーを、布等のクリーナー部とビニールの間にスポンジを挟み、周囲を熱溶着し、クリーナー部の反対側にアイロンの様に立てかけられる形状の、手持ち用フックを付けスタンド型にした。
【考案の効果】
【０００５】クリーナー本体に、アイロンの様に立てかけられる形状にした持ち手を付ける事により使用しない時に、手元に立てかけて置け紛失を防げる。又  持ち手の一方を本体と脱着可能になるよう、クリップで止める事により、使用しない時は薄く収納できる。
【考案を実施するための最良の形態】
【０００６】クリーナー布とビニールの間にスポンジを挟み、周囲を熱溶着する。熱溶着時に、スタンドを兼ねた持ち手の一方も本体に溶着する。一方は、クリップを付け、本体に付けられたクリップと合わせて、止める。
【図面の簡単な説明】
【０００７】
【図１】  スタンド型画面クリーナーの正面図である。
【図２】  スタンド型画面クリーナーの断面図である。
【符号の説明】
１  クリーナー布
２  ビニール
３  スポンジ
４  持ち手
５  クリップ
【図１】
0003127494.tif 000003
【図２】
0003127494.tif 000004
(57)【要約】      （修正有）【課題】靴等を乾燥させるため当該靴内部に、より多くの温冷風を換気させる事により、乾燥時間を短くする事と、他の人の使用した道具を使用しなくてもよくする事で不快感をなくし、当該靴への装着が簡単で安価な靴乾燥道具を提供する。【解決手段】一般家庭にあるヘアードライヤーと接続し当該ヘアードライヤーの温冷風を二方向に分配するダクトと靴内に送風する二本のダクトで構成され靴内に送風する二本のダクトは、分配するダクトと容易に脱着出来るようにし、なおかつ大きさは、当該靴内部空間体積の２分の１にし形状は縮小形であることを特徴とする。【選択図】図１
0003127459.tif 000002
【実用新案登録請求の範囲】
【請求項１】
靴内送風ダクト（２）を  靴内部空間体積の二分の一の縮小形の大きさにした  靴乾燥道具。
【請求項２】
送風分配ダクト（１）と靴内送風ダクト（２）を差込接続にし、簡単に脱着出来るようにした  靴乾燥道具
【考案の詳細な説明】
【技術分野】
【０００１】本考案は、ブーツ、靴等の内部を乾燥させる道具に関するものである。
【背景技術】
【０００２】従来靴を乾燥させるには、比較的高価な専用の電気乾燥機を使うか、タイツ形袋とか靴と同形状の乾燥袋に布団乾燥機やヘヤードライヤーを接続して靴を乾燥するものが一般に知られている。
【考案の開示】
【考案が解決しようとする課題】
【０００３】従来例では、靴内の乾燥用温冷風の換気する効率が悪い、構造が複雑で高価、取り付けにくい、他の人の使用したものを使うのは不快感があるなどの問題点がある。
【課題を解決するための手段】
【０００４】本考案は、上記課題を解決するものであり靴内部を乾燥するためヘアードライヤー等を使用し当該ヘアードライヤーの温冷風を送り込む靴内送風ダクト２を靴内部空間体積の２分の１の大きさにしなお当該ダクトは当該靴内部形状の縮小形にする。【０００５】また、靴乾燥用送風ダクトを送風分配ダクト１と靴内送風ダクト２の差込接続にし簡単に脱着できるようにする。
【実施例】
【０００６】本考案の実施例を図１で説明する。この靴乾燥用送風ダクトは、ヘアードライヤー２０の温冷風を取り入れる吸入口と取り入れた温冷風を二方向に分ける送風分配ダクト１と左右の靴内に送風するための二本の靴内送風ダクト２で構成された非常に簡単な構造である。使用するときは、図３の様に送風分配ダクト１から靴内送風ダクト２を取り外し左右の靴に靴内送風ダクトをそれぞれ一本ずつ挿入する。挿入完了後送風分配ダクト１を靴内送風ダクト２に差し込む。その後、送風分配ダクト１にヘアードライヤー２０を差し込みヘアードライヤー２０を起動させて当該靴を乾燥させる。
【考案の効果】
【０００７】よって、本考案の靴乾燥道具によって乾燥用温冷風の換気量を最大にすることにより乾燥時間を短縮し、靴内送風ダクト２を外する事により靴１０への装着が容易になりなお、他の人の使用した物を使用しなくても良いので不快感がなく、靴のサイズにあった靴内送風ダクト２を求めるだけで良いのでコストも安く出来る。
【考案を実施するための最良の形態】
【０００８】本考案に係る靴乾燥道具は、図１に示すように靴内送風ダクト２を靴内に挿入し、ヘアードライヤー２０の温冷風を送り込むようになっている。靴内送風ダクト２の吹き出し口は、つま先先端部Ｔ１に八割の乾燥用温冷風が吐出される大きさにし、踵部Ｔ３に一割、残り一割を数箇所に分けて靴底部Ｔ２へ吐出される大きさにする。なお、靴内送風ダクト２の底面に左右四箇所ずつ突起部Ｓ１を設け靴底への接地面積を少なくし通風性をよくする。
【図面の簡単な説明】
【０００９】
【図１】本考案靴乾燥道具及び靴の横断面の略図である。
【図２】本考案靴乾燥道具の正面図である。
【図３】本考案靴乾燥道具の送風分配ダクトと靴内送風ダクトを分離した正面図である。
【符号の説明】
【００１０】１、送風分配ダクト
２、靴内送風ダクト
１０、靴
２０、ヘアードライヤー
Ｓ１、靴内送風ダクト底面突起
Ｔ１、つま先先端部温冷風吐出口
Ｔ２、靴底部温冷風吐出口
Ｔ３、踵部温冷風吐出口
【図１】
0003127459.tif 000003
【図２】
0003127459.tif 000004
【図３】
0003127459.tif 000005